(57)【要約】      （修正有）【課題】壁等に密着して設置しても、コーヒーペーパーフィルタの束の中から１枚を容易に取り出すことができ、また、コーヒーペーパーフィルタの束のうちの最後方からだけでなく、最前方からもコーヒーペーパーフィルタの１枚を容易に取り出すことができるコーヒーペーパーフィルタ用保持装置を提供する。【解決手段】コーヒーペーパーフィルタの束１０が、その束ね方向に倒れることを防止する一対の倒れ防止部材２０，３０と、上記一対の倒れ防止部材を互いに結合する結合部材５０と、上記コーヒーペーパーフィルタの束を、上記一対の倒れ防止部材の間に設置したときに、上記コーヒーペーパーフィルタの束を支持し、凹部を具備する凹部材６０とを有し、コーヒーペーパーフィルタの束が上記凹部材の上記凹部で支持されると、上記凹部材と反対側に位置するコーヒーペーパーフィルタの束の端部の中央部が陥没し、上記端部の周縁部が迫り出す。【選択図】図２
2016106745.tif 000002
【特許請求の範囲】
【請求項１】
コーヒーペーパーフィルタの束が、その束ね方向に倒れることを防止する一対の倒れ防止部材と；
上記一対の倒れ防止部材を互いに結合する結合部材と；
上記コーヒーペーパーフィルタの束を、上記一対の倒れ防止部材の間に設置したときに、上記コーヒーペーパーフィルタの束を支持し、凹部を具備する凹部材と；
を有し、コーヒーペーパーフィルタの束が上記凹部材の上記凹部で支持されると、上記凹部材と反対側に位置するコーヒーペーパーフィルタの束の端部の中央部が陥没し、上記端部の周縁部が迫り出すことを特徴とするコーヒーペーパーフィルタ用保持装置。
【請求項２】
請求項１において、
上記凹部は、Ｖ字形状、Ｕ字形状、Ｊ字形状のうちの少なくとも１つであることを特徴とするコーヒーペーパーフィルタ用保持装置。
【請求項３】
請求項１において、
凹部材は、上記コーヒーペーパーフィルタ用保持装置に固定されているか、または、分離可能であることを特徴とするコーヒーペーパーフィルタ用保持装置。
【請求項４】
請求項１において、
上記一対の倒れ防止部材は、上記結合部材によって互いに結合されて自立することを特徴とするコーヒーペーパーフィルタ用保持装置。
【請求項５】
請求項１において、
上記一対の倒れ防止部材と上記結合部材とによって枠が形成され、上記結合部材に上記凹部が設けられ、上記枠に係止手段が設けられていることを特徴とするコーヒーペーパーフィルタ用保持装置。
【請求項６】
請求項５において、
上記係止手段は、マグネットであることを特徴とするコーヒーペーパーフィルタ用保持装置。
【請求項７】
コーヒーペーパーフィルタを保持する傾斜面を有するコーヒーペーパーフィルタ用保持装置であって、
上記コーヒーペーパーフィルタの開口部を上にしてコーヒーペーパーフィルタを上記コーヒーペーパーフィルタ用保持装置に設置したときに、上記コーヒーペーパーフィルタ用保持装置を水平面と平行に切断した場合の切断面と上記傾斜面との交線が、上記コーヒーペーパーフィルタの重ね方向と非平行であり、かつ、上記コーヒーペーパーフィルタの束の重ね方向の直線を含む鉛直面で切断した切断面と上記傾斜面との交線の方向と水平線とのなす角βが、０°＜β＜９０°であることを特徴とするコーヒーペーパーフィルタ用保持装置。
【請求項８】
請求項７であって、
上記傾斜面は、平面または曲面であることを特徴とするコーヒーペーパーフィルタ用保持装置。
【請求項９】
請求項７であって、
上記傾斜面は、１つまたは２つ設けられていることを特徴とするコーヒーペーパーフィルタ用保持装置。
【請求項１０】
請求項７であって、
上記傾斜面は、上記コーヒーペーパーフィルタの開口部を上にしてコーヒーペーパーフィルタを上記コーヒーペーパーフィルタ用保持装置に設置したときに、上記コーヒーペーパーフィルタの両側のそれぞれに設けられていることを特徴とするコーヒーペーパーフィルタ用保持装置。
【発明の詳細な説明】
【技術分野】
【０００１】
本発明は、コーヒーのペーパーフィルタを保持する保持装置に関する。
【背景技術】
【０００２】
コーヒーペーパーフィルタを保存する容器として、特許文献１に記載されているコーヒーペーパーフィルタ保存容器が知られている。
【０００３】
この従来例は、コーヒーペーパーフィルタを収容する箱状の収容部と、上蓋とが設けられ、上記収容部の形状は、コーヒーペーパーフィルタの形状に合わせた形状である。また、上記収容部の底面には、その前面から後方に向かって、３０度の上り勾配が設けられている。
【０００４】
上記従来例において、上蓋を開けた状態で、コーヒーペーパーフィルタの束を保存容器に収納すると、保存容器の底面がその後方に向かって上り傾斜しているので、コーヒーペーパーフィルタの束の最も後方に存在している１枚のコーヒーペーパーフィルタを、指で容易につまむことができる。よって、最も後方に存在している１枚のコーヒーペーパーフィルタを、収容部から容易に取り出すことができる。
【先行技術文献】
【特許文献】
【０００５】
【特許文献１】実用新案登録第３１０６４３９号公報
【発明の概要】
【発明が解決しようとする課題】
【０００６】
しかし、上記従来例では、コーヒーペーパーフィルタの束の最後方に配置されているコーヒーペーパーフィルタを取り出すことはできるが、コーヒーペーパーフィルタの束のうちの最前方に位置するコーヒーペーパーフィルタを取り出すことが困難であるという問題がある。
【０００７】
また、コーヒーペーパーフィルタ保存容器の背面を、壁、大きな箱等に密着して設置した場合に、コーヒーペーパーフィルタの束のうちの後方と壁等との間隙が少ないので、コーヒーペーパーフィルタの束のうちの最後方に位置するコーヒーペーパーフィルタを指でつかむことが困難であるという問題がある。
【０００８】
もっとも、コーヒーペーパーフィルタ保存容器の前後を逆にし、前方を後方に向けるように設置することが考えられるが、このようにすると、コーヒーペーパーフィルタ保存容器の背面が前面に位置するので、美観上、支障が生じることがあるばかりか、コーヒーペーパーフィルタが上蓋の陰に隠れて、取り出すことができないという問題がある。
【０００９】
つまり、上記従来のコーヒーペーパーフィルタ保存容器を壁等に密着して設置すると、コーヒーペーパーフィルタの１枚を取り出すことができず、上記従来のコーヒーペーパーフィルタ保存容器を逆向きに設置すると、コーヒーペーパーフィルタの束のうちの１枚を取り出すことができないという問題がある。
【００１０】
本発明は、壁等に密着して設置しても、コーヒーペーパーフィルタの束の中から１枚を取り出すことができ、また、コーヒーペーパーフィルタの束のうちの最後方からだけでなく、最前方からもコーヒーペーパーフィルタの１枚を取り出すことができるコーヒーペーパーフィルタ用保持装置を提供することを目的とする。
【課題を解決するための手段】
【００１１】
本発明のコーヒーペーパーフィルタ用保持装置は、コーヒーペーパーフィルタの束が、その束ね方向に倒れることを防止する一対の倒れ防止部材と、上記一対の倒れ防止部材を互いに結合する結合部材と、上記コーヒーペーパーフィルタの束を、上記一対の倒れ防止部材の間に設置したときに、上記コーヒーペーパーフィルタの束を支持し、凹部を具備する凹部材とを有し、コーヒーペーパーフィルタの束が上記凹部材の上記凹部で支持されると、上記凹部材と反対側に位置するコーヒーペーパーフィルタの束の端部の中央部が陥没し、上記端部の周縁部が迫り出すことを特徴とする。
【発明の効果】
【００１２】
本発明によれば、コーヒーペーパーフィルタの束のうちの後方からだけでなく、前方からでも、１枚のコーヒーペーパーフィルタを容易に取り出すことができるという効果を奏する。
【００１３】
また、本発明によれば、コーヒーペーパーフィルタの束の左右のどちらからでも、１枚のコーヒーペーパーフィルタを容易に取り出すことができる。したがって、右利きのユーザーにとっても、左利きのユーザーにとっても、コーヒーペーパーフィルタを取り出す作業が容易であるという効果を奏する。
【図面の簡単な説明】
【００１４】
【図１】本発明の実施例１であるコーヒーペーパーフィルタ用保持装置１００を示す斜視図である。
【図２】コーヒーペーパーフィルタ用保持装置１００に、コーヒーペーパーフィルタの束１０を載置した状態を示す斜視図である。
【図３】本発明の実施例２であるコーヒーペーパーフィルタ用保持装置２００を示す斜視図である。
【図４】本発明の実施例３であるコーヒーペーパーフィルタ用保持装置３００を示す斜視図である。
【図５】本発明の実施例４であるコーヒーペーパーフィルタ用保持装置４００を示す斜視図である。
【図６】本発明の実施例５であるコーヒーペーパーフィルタ用保持装置５００を示す斜視図である。
【図７】本発明の実施例６であるコーヒーペーパーフィルタ用保持装置６００を示す斜視図である。
【図８】本発明の実施例７であるコーヒーペーパーフィルタ用保持装置７００を示す図である。
【図９】本発明の実施例８であるコーヒーペーパーフィルタ用保持装置８００を示す図である。
【図１０】本発明の実施例９であるコーヒーペーパーフィルタ用保持装置９００を示す図である。
【図１１】本発明の実施例１０であるコーヒーペーパーフィルタ用保持装置１０００を示す図である。
【発明を実施するための形態】
【００１５】
本発明を実施するための形態は、以下の実施例である。
【実施例１】
【００１６】
図１は、本発明の実施例１であるコーヒーペーパーフィルタ用保持装置１００を示す斜視図である。
【００１７】
コーヒーペーパーフィルタ用保持装置１００は、一対の倒れ防止部材２０、３０と、結合部材４０、５０と、凹部材６０とを有する。
【００１８】
一対の倒れ防止部材２０、３０は、コーヒーペーパーフィルタの束１０（図２参照）が、その束ね方向に倒れることを防止する。倒れ防止部材２０は、２本の棒状体２１、２２を組み合わせて十字形を構成し、倒れ防止部材３０は、２本の棒状体３１、３２を組み合わせて十字形を構成している。
【００１９】
結合部材４０、５０は、一対の倒れ防止部材２０、３０を互いに結合する部材であり、棒状であり、互いに嵌め込むことによって、または、釘、接着剤等によって、一対の倒れ防止部材２０、３０を互いに結合している。一対の倒れ防止部材２０、３０は、結合部材４０、５０によって互いに結合されて自立している。なお、倒れ防止部材２０、３０をそれぞれ一体成型するようにしてもよく、また、コーヒーペーパーフィルタ用保持装置１００の全体を一体成型するようにしてもよい。
【００２０】
凹部材６０は、凹部６１を有し、この凹部６１がＶ字形状を有する。
【００２１】
次に、上記実施例の動作について説明する。
【００２２】
まず、図１に示すコーヒーペーパーフィルタ用保持装置１００に、コーヒーペーパーフィルタの束１０を載置する。
【００２３】
図２は、コーヒーペーパーフィルタ用保持装置１００に、コーヒーペーパーフィルタの束１０を載置した状態を示す斜視図である。
【００２４】
コーヒーペーパーフィルタの束１０が凹部材６０の凹部６１で支持されると、凹部材６０と反対側（図２中、凹部材６０の上部）に位置するコーヒーペーパーフィルタの束１０の端部１１の中央部１２が陥没し、端部１１の周縁部１３１、１３２が迫り出す。
【００２５】
この状態で、コーヒーペーパーフィルタの束１０の図２中、左側上部に位置する端部１１の周縁部１３１が、迫り上がっているので、コーヒーペーパーフィルタの束１０の図２中、最左端の１枚を容易に摘まむことができる。また、コーヒーペーパーフィルタの束１０の図２中、右側上部に位置する端部１１の周縁部１３２が、迫り上がっているので、コーヒーペーパーフィルタの束１０の図２中、最右端の１枚を容易に摘まむことができる。
【００２６】
なお、凹部６１は、Ｖ字形状を有するが、この代わりに、Ｕ字形状、Ｊ字形状を有するものであってもよい。凹部６１がＵ字形状、Ｊ字形状であっても、図２に示すように、コーヒーペーパーフィルタの束１０の端部１１の中央部１２が陥没し、端部１１の周縁部１３１、１３２が迫り出し、コーヒーペーパーフィルタの束１０の端に位置する１枚のコーヒーペーパーフィルタを容易に摘まむことができる。
【００２７】
コーヒーペーパーフィルタ用保持装置１００が、図２に示す位置に設置されていると、その手前の１枚を取り出すことが容易であり、また、一番奥の１枚を取り出すことも容易である。
【００２８】
一方、コーヒーペーパーフィルタ用保持装置１００が、図２に示す位置から、９０度時計方向に回転した状態で設置されていると、右利きのユーザーは、コーヒーペーパーフィルタの束１０の右端の１枚を取り出すことが容易であり、左利きのユーザーは、コーヒーペーパーフィルタの束１０の左端の１枚を取り出すことが容易である。したがって、右利き、左利きの両ユーザーにとっても、束の中から１枚のコーヒーペーパーフィルタを取り出すことが容易である。
【実施例２】
【００２９】
図３は、本発明の実施例２であるコーヒーペーパーフィルタ用保持装置２００を示す斜視図である。
【００３０】
コーヒーペーパーフィルタ用保持装置２００は、コーヒーペーパーフィルタ用保持装置１００において、結合部材４０が省略されている実施例である。
【００３１】
コーヒーペーパーフィルタ用保持装置２００において、倒れ防止部材２０、３０を結合する手段は、結合部材５０と凹部材６０とのみであるが、このようにしても、コーヒーペーパーフィルタの束１０を載置することができ、また、コーヒーペーパーフィルタの束１０の端に位置する１枚のコーヒーペーパーフィルタを容易に摘まむことができる。
【実施例３】
【００３２】
図４は、本発明の実施例３であるコーヒーペーパーフィルタ用保持装置３００を示す斜視図である。
【００３３】
コーヒーペーパーフィルタ用保持装置３００は、コーヒーペーパーフィルタ用保持装置１００において、結合部材５０の代わりに、凹部材５１を設けた実施例である。
【００３４】
このように、凹部材６０の他に、凹部を有する凹部材５１を設けると、コーヒーペーパーフィルタの束１０の図４中、左下部においても、コーヒーペーパーフィルタの束１０の端部の中央部が陥没し、上記端部の周縁部が迫り出す。したがって、図４中、下部においても、コーヒーペーパーフィルタの束１０の端に位置する１枚のコーヒーペーパーフィルタを容易に摘まむことができる。
【実施例４】
【００３５】
図５は、本発明の実施例４であるコーヒーペーパーフィルタ用保持装置４００を示す斜視図である。
【００３６】
コーヒーペーパーフィルタ用保持装置４００は、コーヒーペーパーフィルタ用保持装置１００において、凹部材６０の代わりに、棒状の結合部材６２を設け、結合部材５０の代わりに、凹部を有する凹部材５１を設けた実施例である。
【００３７】
コーヒーペーパーフィルタ用保持装置４００では、コーヒーペーパーフィルタの束１０の下部において、１枚のコーヒーペーパーフィルタを容易に取り出すことができる。
【実施例５】
【００３８】
図６は、本発明の実施例５であるコーヒーペーパーフィルタ用保持装置５００を示す斜視図である。
【００３９】
コーヒーペーパーフィルタ用保持装置５００は、コーヒーペーパーフィルタ用保持装置１００において、凹部材６０の代わりに、棒状の結合部材６２を設けるとともに、結合部材５０、６２の上に、板７０を設けた実施例である。
【００４０】
板７０は、２つの平面板７１、７２が互いに接合され、平面板７１と平面板７２とのなす角度が３０度である。つまり、板７０は、断面Ｖ字状の板である。この板７０は、コーヒーペーパーフィルタ用保持装置５００に固定されていても、取り外し自在であってもよい。
【００４１】
コーヒーペーパーフィルタ用保持装置５００は、コーヒーペーパーフィルタ用保持装置１００と同様の効果を奏し、つまり、コーヒーペーパーフィルタの束１０の図６中、上部において、コーヒーペーパーフィルタの束１０の端部の中央部が陥没し、上記端部の周縁部が迫り出す。したがって、図６中、上部において、コーヒーペーパーフィルタの束１０の端に位置する１枚のコーヒーペーパーフィルタを容易に摘まむことができる。
【００４２】
なお、板７０を構成する平面板７１と７２とがなす角度は、３０度以外の角度であってもよい。
【実施例６】
【００４３】
図７は、本発明の実施例６であるコーヒーペーパーフィルタ用保持装置６００を示す斜視図である。
【００４４】
コーヒーペーパーフィルタ用保持装置６００は、コーヒーペーパーフィルタ用保持装置１００において、十字形の倒れ防止部材２０、３０の代わりに、平板２３、３３を設けた実施例である。この実施例でも、コーヒーペーパーフィルタの束１０の端部１１の中央部１２が陥没し、端部１１の周縁部１３１、１３２が迫り出し、コーヒーペーパーフィルタの束１０の端に位置する１枚のコーヒーペーパーフィルタを容易に摘まむことができる。
【００４５】
つまり、倒れ防止部材は、コーヒーペーパーフィルタの束１０を押さえることができればよく、２本の棒状体２１、２２の代わりに、平板２３を使用するようにしてもよい。また、２本の棒状体３１、３２の代わりに、平板３３を使用するようにしてもよい。さらに、平面板２３、３３が透明であってもよい。
【００４６】
なお、実施例６を実施例２〜実施例５に適用することができる。つまり、実施例２〜実施例５のそれぞれにおいて、倒れ防止部材２０、３０の代わりに、平板２３、３３を設けるようにしてもよい。
【実施例７】
【００４７】
図８は、本発明の実施例７であるコーヒーペーパーフィルタ用保持装置７００を示す図である。
【００４８】
コーヒーペーパーフィルタ用保持装置７００は、コーヒーペーパーフィルタ用保持装置１００をほぼ４５度時計方向に回転し、棒状体２２の根本に基部２３を付加し、棒状体３２の根本に基部３３を付加した装置である。
【００４９】
このようにしても、コーヒーペーパーフィルタ用保持装置１００と同様に動作し、図２に示すと同様に、コーヒーペーパーフィルタの束１０を載置すると、コーヒーペーパーフィルタの束１０の端部の中央部が陥没し、コーヒーペーパーフィルタの束１０の端部の周縁部が、迫り上がっているので、コーヒーペーパーフィルタの束１０中の端部の１枚を容易に摘まむことができる。なお、凹部６１は、Ｖ字形状を有するが、この代わりに、Ｕ字形状、Ｊ字形状を有するものであってもよい。
【００５０】
また、コーヒーペーパーフィルタ用保持装置２００、３００、４００、５００においても、コーヒーペーパーフィルタ用保持装置７００のように、４５度時計方向に回転し、棒状体２２の根本に基部２３を付加し、棒状体３２の根本に基部３３を付加する等のようにしてもよい。
【実施例８】
【００５１】
図９は、本発明の実施例８であるコーヒーペーパーフィルタ用保持装置８００を示す図である。
【００５２】
コーヒーペーパーフィルタ用保持装置８００は、コーヒーペーパーフィルタの束１０を、枠８０に保持する実施例である。
【００５３】
図９（１）は、コーヒーペーパーフィルタ用保持装置８００を示す斜視図であり、図９（２）は、図９（１）の９（２）−９（２）線で縦に切断して見た断面図であり、図９（３）は、図９（１）の９（３）−９（３）線で縦に切断して見た断面図である。つまり、図９（３）は、コーヒーペーパーフィルタの束１０の重ね方向の直線を含む鉛直面で切断した切断面を示す図である。
【００５４】
図９（１）中、傾斜面８１が設けられている。また、コーヒーペーパーフィルタの開口部を上にしてコーヒーペーパーフィルタをコーヒーペーパーフィルタ用保持装置８００に設置したときに、コーヒーペーパーフィルタ用保持装置８００を水平面と平行に切断した場合の切断面と傾斜面８１との交線の方向Ｄ２が、コーヒーペーパーフィルタの重ね方向Ｄ１と非平行であり、かつ非直角である。
【００５５】
つまり、コーヒーペーパーフィルタの重ね方向Ｄ１と、コーヒーペーパーフィルタ用保持装置８００を水平面と平行に切断した場合の切断面と傾斜面８１との交線の方向Ｄ２とのなす角αは、０°＜α＜９０°である。
【００５６】
また、図９（３）に示すように、水平線Ｄ３と、コーヒーペーパーフィルタの束１０の重ね方向の直線を含む鉛直面で切断した切断面と傾斜面８１との交線の方向Ｄ４とのなす角βは、０°＜β＜９０°である。
【００５７】
次に、コーヒーペーパーフィルタ用保持装置８００の動作について説明する。
【００５８】
コーヒーペーパーフィルタ用保持装置８００の枠８０で囲まれる空間に、コーヒーペーパーフィルタの束１０を挿入すると、図９（３）に示す傾斜面８１の周縁部８３１に、コーヒーペーパーフィルタの束１０の一端のコーヒーペーパーフィルタが載置され、傾斜面８１の周縁部８３２に、コーヒーペーパーフィルタの束１０の他端のコーヒーペーパーフィルタが載置される。図９（３）に示すように、傾斜面８１の周縁部８３１よりも周縁部８３２が高いので、周縁部８３２に対応するコーヒーペーパーフィルタの束１０の端部が迫り上がる。よって、コーヒーペーパーフィルタの束１０の端の１枚を指で容易に摘まむことができる。
【００５９】
コーヒーペーパーフィルタ用保持装置８００において、マグネットＭｇ１、Ｍｇ２が枠８０の外側に埋め込まれ、このマグネットＭｇ１、Ｍｇ２を介して、コーヒーペーパーフィルタ用保持装置８００が冷蔵庫等に吸着される。なお、上記マグネットの代わりに、フック等の係止手段を設け、この係止手段を介して、コーヒーペーパーフィルタ用保持装置８００をテーブル、壁等に係止するようにしてもよい。また、マグネットＭｇ１、Ｍｇ２の数を１つにしてもよく、３つ以上にしてもよい。
【００６０】
なお、コーヒーペーパーフィルタ用保持装置８００は、傾斜面８１を、図９中、右側にのみ設けてあるが、左側にも設けるようにしてもよい。つまり、傾斜面８１を、図９中、左右の両側に設けるようにしてもよい。
【実施例９】
【００６１】
図１０は、本発明の実施例９であるコーヒーペーパーフィルタ用保持装置９００を示す図である。
【００６２】
コーヒーペーパーフィルタ用保持装置９００は、枠９０にコーヒーペーパーフィルタの束１０を保持する実施例である。
【００６３】
図１０（１）は、コーヒーペーパーフィルタ用保持装置９００を示す斜視図であり、図１０（２）は、図１０（１）の１０（２）−１０（２）線で縦に切断して見た断面図であり、図１０（３）は、図１０（１）の１０（３）−１０（３）線で縦に切断して見た断面図である。つまり、図１０（３）は、コーヒーペーパーフィルタの束１０の重ね方向と直交する面で切断した切断面を示す図である。
【００６４】
図１０（１）中、右側に、２つの平面によって形成される傾斜面９１が設けられている。傾斜面９１は、枠９０の内側の一部分に設けられている凹部であって、斜めの傾斜面を具備し、断面がＶ字形状である。また、枠９０の側部に、マグネットＭｇ１、Ｍｇ２が埋め込まれている。
【００６５】
また、コーヒーペーパーフィルタの重ね方向Ｄ１と、コーヒーペーパーフィルタ用保持装置９００を水平面と平行に切断した場合の切断面と傾斜面９１との交線の方向Ｄ２とのなす角αは、０°＜α＜９０°である。
【００６６】
さらに、水平線Ｄ３と、コーヒーペーパーフィルタの束１０の重ね方向の直線を含む鉛直面で切断した切断面と傾斜面９１との交線の方向Ｄ４とのなす角βは、０°＜β＜９０°である。
【００６７】
コーヒーペーパーフィルタ用保持装置９００の枠９０で囲まれる空間に、コーヒーペーパーフィルタの束１０を挿入すると、図１０（３）に示す傾斜面９１の中央部９２に、コーヒーペーパーフィルタの束１０の中央部が載置され、傾斜面９１の周縁部９３１、９３２に、コーヒーペーパーフィルタの束１０の周縁部が載置される。図１０（３）に示すように、傾斜面９１の中央部９２が周縁部９３１、９３２よりも低いので、コーヒーペーパーフィルタの束１０の中央部が陥没し、コーヒーペーパーフィルタの束１０の周縁部が迫り上がる。よって、コーヒーペーパーフィルタの束１０の端の１枚を摘まむことが容易である。つまり、図１０（３）に示すように、傾斜面９１によって凹部が形成され、この凹部は、周縁部９３１、９３２と、周縁部９３１、９３２よりも低い中央部９２とを有する。
【００６８】
コーヒーペーパーフィルタ用保持装置９００は、マグネットＭｇ１、Ｍｇ２が枠９０の外側に埋め込まれているので、マグネットＭｇ１、Ｍｇ２を介して、コーヒーペーパーフィルタ用保持装置９００が冷蔵庫等に吸着される。マグネットＭｇ１、Ｍｇ２側の枠９０の厚さは、コーヒーペーパーフィルタ用保持装置９００をマグネットＭｇ１、Ｍｇ２によって冷蔵庫等に吸着させたときに、冷蔵庫とコーヒーペーパーフィルタの束１０との間に、人の指が入る程度以上の厚さである。
【００６９】
なお、マグネットＭｇ１、Ｍｇ２の代わりに、フック等の係止手段を設け、この係止手段を介してテーブル、壁等に、コーヒーペーパーフィルタ用保持装置９００を係止するようにしてもよい。また、マグネットＭｇ１、Ｍｇ２の数を１つにしてもよく、３つ以上にしてもよい。
【００７０】
つまり、枠９０は、一対の倒れ防止部材と結合部材とによって形成され、上記結合部材に、凹部が設けられ、上記倒れ防止部材にマグネットＭｇ１、Ｍｇ２が設けられている。
【００７１】
なお、コーヒーペーパーフィルタ用保持装置９００は、傾斜面９１を、図１０中、右側にのみ設けてあるが、左側にも設けるようにしてもよい。つまり、傾斜面９１を、図１０中、左右の両側に設けるようにしてもよい。
【実施例１０】
【００７２】
図１１は、本発明の実施例８であるコーヒーペーパーフィルタ用保持装置１０００を示す図である。
【００７３】
図１１（１）は、コーヒーペーパーフィルタ用保持装置１０００を示す斜視図であり、図１１（２）は、図１１（１）の１１（２）−１１（２）線で縦に切断して見た断面図であり、図１１（３）は、図１１（１）の１１（３）−１１（３）線で縦に切断して見た断面図である。つまり、図１１（３）は、コーヒーペーパーフィルタの束１０の重ね方向の直線を含む鉛直面で切断した切断面を示す図である。
【００７４】
図１１（１）中、右側に、凹部を形成する曲面によって形成される傾斜面１０１が設けられている。傾斜面１０１は、枠１００の内側の一部分に設けられている凹部であって、斜めの傾斜面を具備し、断面が円弧状である。なお、断面がＪ字形状であってもよい。
【００７５】
コーヒーペーパーフィルタ用保持装置１０００の枠１００で囲まれる空間に、コーヒーペーパーフィルタの束１０を挿入すると、図１１（３）に示す傾斜面１０１の中央部１０２に、コーヒーペーパーフィルタの束１０の中央部が載置され、傾斜面１０１の周縁部１０３１、１０３２に、コーヒーペーパーフィルタの束１０の周縁部が載置される。図１１（３）に示すように、傾斜面１０１の中央部１０２が周縁部１０３１、１０３２よりも低いので、コーヒーペーパーフィルタの束１０の中央部が陥没し、コーヒーペーパーフィルタの束１０の周縁部が迫り上がる。よって、コーヒーペーパーフィルタの束１０の端の１枚を指で容易に摘まむことができる。
【００７６】
コーヒーペーパーフィルタ用保持装置１０００において、マグネットＭｇ３、Ｍｇ４が枠１００の外側に埋め込まれ、このマグネットＭｇ３，Ｍｇ４を介して、コーヒーペーパーフィルタ用保持装置１０００が冷蔵庫等に吸着される。なお、上記マグネットの代わりに、フック等の係止手段を設け、この係止手段を介して、コーヒーペーパーフィルタ用保持装置１０００をテーブル、壁等に係止するようにしてもよい。また、マグネットＭｇ３、Ｍｇ４の数を１つにしてもよく、３つ以上にしてもよい。
【００７７】
また、コーヒーペーパーフィルタの重ね方向Ｄ１と、コーヒーペーパーフィルタ用保持装置１０００を水平面と平行に切断した場合の切断面と傾斜面１０１との交線の方向Ｄ２とのなす角αは、０°＜α＜９０°である。
【００７８】
さらに、水平線Ｄ３と、コーヒーペーパーフィルタの束１０の重ね方向の直線を含む鉛直面で切断した切断面と傾斜面１０１との交線の方向Ｄ４とのなす角βは、０°＜β＜９０°である。
【００７９】
なお、コーヒーペーパーフィルタ用保持装置１０００は、傾斜面１０１を、図１１中、右側にのみ設けているが、左側にも設けるようにしてもよい。つまり、傾斜面１０１を、図１１中、左右の両側に設けるようにしてもよい。
【００８０】
また、０°＜α＜９０°であり、０°＜β＜９０°である点は、コーヒーペーパーフィルタ用保持装置１００、２００、３００、４００、５００、６００においても同様である。つまり、コーヒーペーパーフィルタの重ね方向Ｄ１と、コーヒーペーパーフィルタ用保持装置（凹部６１）を水平面と平行に切断した場合の切断面と傾斜面（凹部材６０の傾斜面）との交線の方向Ｄ２とのなす角αは、０°＜α＜９０°である。また、水平線Ｄ３と、コーヒーペーパーフィルタの束１０の重ね方向の直線を含む鉛直面で切断した切断面と傾斜面（凹部材６０の傾斜面）との交線の方向Ｄ４とのなす角βは、０°＜β＜９０°である。
【符号の説明】
【００８１】
１００、２００、３００、４００，５００、６００…コーヒーペーパーフィルタ用保持装置、
１０…コーヒーペーパーフィルタの束、
１１…端部、
１２…中央部、
１３１、１３２…周縁部、
２０、３０…倒れ防止部材、
４０、５０…結合部材、
６０…凹部材、
６１…凹部、
８１、９１、１０１…傾斜面。
【図１】
2016106745.tif 000003
【図２】
2016106745.tif 000004
【図３】
2016106745.tif 000005
【図４】
2016106745.tif 000006
【図５】
2016106745.tif 000007
【図６】
2016106745.tif 000008
【図７】
2016106745.tif 000009
【図８】
2016106745.tif 000010
【図９】
2016106745.tif 000011
【図１０】
2016106745.tif 000012
【図１１】
2016106745.tif 000013